(57)【要約】      （修正有）【課題】数個のケースを積み上げたり横に並べたりしても、引出しを開け閉めする際に崩れ落ちる危険性がなく、容易に連結、解除、再連結できる多機能収納ケースを提供する。【解決手段】前面に１以上の引出しを有する筐体を上下または／および左右と連結する手段として、筐体同士が接触する１面に対し１以上の開口部を設けてその開口部位に爪片または嵌込部を取付け、開口部と対向する筐体の面に爪片を篏挿する嵌込部を、または、嵌込部に嵌挿する爪片を設けて筐体の内面で篏合し合う連結可能な多機能収納ケース。【選択図】図９
2020083434.tif 000002
【特許請求の範囲】
【請求項１】
前面に1以上の引出しを有する筐体を上下または／および左右と連結する手段として、筐体同士が接触する1面に対し1以上の開口部を設けてその開口部位に爪片または嵌込部を取付け、該開口部と対向する筐体の面に前記爪片を嵌挿する嵌込部を、または、前記嵌込部に嵌挿する爪片を設けて、筐体の内面で嵌合し合うことを特徴とした連結可能な多機能収納ケース。
【請求項２】
請求項１記載の連結可能な多機能収納ケースにおいて、爪片の形状が棒状を成し、嵌込部は前記棒状が嵌挿可能なように筒状にしたことを特徴とした連結可能な多機能収納ケース。
【請求項３】
請求項１または２記載の連結可能な多機能収納ケースにおいて、爪片と嵌込部とを筐体の側面に縦方向に取付けたことを特徴とした連結可能な多機能収納ケース。
【請求項４】
請求項１乃至３のいずれか1項記載の連結可能な多機能収納ケースにおいて、引出しの全面に写真等を挿添可能な手段を設けたことを特徴とした連結可能な多機能収納ケース。
【請求項５】
請求項１ないし３の連結可能な多機能収納ケースにおいて、引出しが無い筐体を上下または／および左右と連結する手段として、筐体同士が接触する1面に対し1以上の開口部を設けてその開口部位に爪片または嵌込部を取付け、該開口部と対向する筐体の面に前記爪片を嵌挿する嵌込部を、または、前記嵌込部に嵌挿する爪片を設けて、筐体の内面で嵌合し合うことを特徴とした連結可能な多機能収納ケース。
【発明の詳細な説明】
【技術分野】
【０００１】
本発明は、斜め上下（階段状）または上面下面、左側面右側面に連結、解除、再連結が可能な多機能収納ケースに関するものである。
【背景技術】
【０００２】
一般的に、会社や家庭では、多くの書類や小物部品等が貯まりそれを如何に整理整頓して収納するかが大きな悩みになっている。この為に、各種サイズのキャビネットやレターケース等が、市販されている。
【０００３】
しかし、一個の収納ケースだけでは納めきれず数個のケースを積み上げたり横に並べたりして対応しているが、単に段積みや横に並べるだけでは、引き出しを開け閉めする際に崩れ落ちる危険性があるので、下記の文献のような個々のケースを連結する手段が提案されている。
【０００４】
【特許文献１】特開平５−２２１４８１号公報
【特許文献２】実開平２―８８７８８号公報
【特許文献３】登録実用登録３０５９４４１号公報
【発明の概要】
【発明が解決しようとする課題】
【０００５】
上記、特許文献１には、カセットテープの収納ケースの外側に爪片と嵌込部を設けて結合し合う手段が記載されてあり、特許文献２には、収納ケースの筐体の側面や上下面に複数の溝部と凸部とを設けて嵌挿し合う手段が、特許文献３には本願図１１に示すように筐体の上面及び下面に凹凸に突起を設け嵌合し合う手段が提案されている。
【０００６】
上記、提案されている連結方法で段積みや横に並べて使用することが可能になり、置場スペースや整理整頓等の面では効果があると思える。しかしながら、上記手段には次のような問題点が懸念される。
【０００７】
上記特許文献１は嵌合する面と面の隙間が生じ、この隙間部に埃が貯まり不潔感が生じること、更に、面と面の嵌合部以外の隙間部が余分の厚みとなり、知的財産の分野は異なるが意匠性から違和感が生じる。
【０００８】
特許文献２の篏合は、長い凹溝部に長い凸部を篏挿させるため寸方精度が要求され反面，篏挿が困難で作業性に問題がある。特許文献３の篏合は、筐体の上面と対応する筐体の下面に設けた凹凸部が篏合し合うだけで、筐体の左側面右側面同士を連結する思想がない。
【０００９】
そこで、本願は、面と面を密着させ不要な隙間をなくし、埃等が貯まらず、しかも、引き出しを出し入れする際に働く前後の動きを阻止し、更に、本願図８、図９、図10に示すような遊び心をも容易に表現できる篏合手段と共に、 引き出し前面にはアイドル等の写真や風景写真等をも飾れる額縁としての機能を持たせた多機能収納ケースを提供するものである。
【課題を解決するための手段】
【００１０】
本発明は図示のように、前方に引出を挿入する筐体を崩れることなく段積み及び左側面右側面に、又は、斜め上下（階段状）に連結できる要件として、先ず、連結する上面及び下面、及び側面同士に１以上の篏合手段を設け、更に、連結されたとき、連結面に外見上隙間が生ぜず、その結果、連結面に埃等が貯まらないようにする。
【００１１】
次に、篏合し易く、更に、引出の開け閉め時に簡単に各筐体が外れず崩れない構造にすること、しかも、図８，９に示すような中抜き、斜め上下（階段状）に連結しても上部の筐体が崩れない連結手段であることを要件とした。
【００１２】
そこで、一般的に使用されて篏合手段は特許文献１に図示する爪片（１５）と篏込部（１６）が共に筐体の外面に設けられているのに対し、本願は篏合される面と面が完全に密着さすために、爪片または篏込片のどちらか一方を、図示のように面に開口部を設け、該開口部位に爪片や嵌込片を取付ける。一方、この筐体内に取付けた爪片や嵌込片と対向する爪片や嵌込片が共に筐体の内面にあり面と面とが強固に密着されているところが特許文献1や特許文献３とは相違する。
【００１３】
更に、本願は前後の動きを図4，図５の様に縦方向に取付ける篏合部品で、上下動の動きは図２、図３の様に前後動（左右方向でも問題はない）させて篏合する手段である。
これら上記の手段は、新規な技術であり顕著な効果を発揮する。
【００１４】
尚、最下段になる筐体の下面や最上段になる上面とか、最左右になる側面には篏合部は設ける必要はない。但し、嵌合部のある収納ケースを使用する際には、図６の様な篏合し合う隠し蓋を使用することも提案する。
【００１５】
更に、本願に篏合手段の爪片及び嵌込片の形状は図4に示すように、爪片を棒状にし、嵌込片は該棒状片が挿入されるように筒状にした。該篏合部品を図4のように側面に縦方向に取付け上下させて篏合し合うことも提案する。  但し、この棒状の篏合部品は側面だけに取付けることを限定するものではなく必要に応じて上下面に適宜に設けてもよい。
【００１６】
これ以外に図２、図３、図５に示す爪片が平板状を成し、この平板が挿入される嵌込部等もある。この篏合部品は前面、後面を除き、全ての面に取付けられる。  篏合手順は後述するが、筐体を上下、前後又は左右に動かし篏合し合うものである。  尚、本願は爪片や嵌込部の形状を特に限定するものではないが、少なくとも引出しを開け閉めする際に、外れない篏合手段であればよい。
【００１７】
上述のように、側面には縦方向に取付ける篏合手段によって筐体が前後の動きを阻止する作用をさせ、下面、上面に取付ける篏合手段によって筐体が上方に持ち上がる動きを阻止する作用をさせ、面と面とを密着させることによって各種（揺れ、引っ張り、撓み、反り等）の動きを面でも阻止する作用をさせることによって強い篏合力を生み出す新規な篏合手段を提供するものである。
【００１８】
上述の様な篏合手段によって、従来は単なる収納ケースとしての機能だけであったが、本願は図８，９に示すような遊び心、インテリア的な機能や、図１０のように引出しの全面に写真等の差し込み（挿入）を可能にし、収納ケース全体を額縁的な機能まで持たせ安らぎ等をも創出可能な多機能収納ケースにした。尚、本願請求項４でいう挿添とは、写真、風景絵、名札等を挿入（差し込む）または添付することを「挿添」と定義する。
【００１９】
なお、本願は請求項５に記載の如く引出しの無い筐体を、上述のような篏合手段で連結すれば、本発明の技術範囲である。
【００２０】
本願は上記の条件及び手段で収納ケース等を連結するものであるが、この連結手順を図１に示す。
１・  上段図に示すA面（筐体の一面とする）に開口部（１）を設け、この開口部に平板状の爪片（２）を設けてある。この面に対向するB面に前記爪片（２）が篏挿する嵌込部（３）が設けてある。
２・  中段図のようにAの開口部（１）にBに設けた嵌込部（３）を挿入する。
３・  下段図のようにA１面に設けた爪片（２）を嵌込部（３）側に押し、爪片（２）を嵌込部（３）に篏挿すると、爪片と嵌込部とが篏合され、更に、A面とB面とが密着され結合される。
本願では、爪片嵌込部に挿入することを篏挿といい、篏挿して結合されることを篏合と表現する。
【発明の効果】
【００２１】
本発明は次のような効果がある。
１・本願の篏合手段を筐体の内面にもうけて、面と面とを密着させることによって、複数個の筐体を連結することによって生ずる複雑な動きを阻止することが可能となり、強力な篏合手段となり複雑な結合も、解体、再連結も可能になった。
２・  強力な篏合手段によって、図８，９のような連結方法を自由に採り入れ、図１０のように引出前面に写真等の差し込み（挿入）を可能にするなど、従来の単なる収納ケースの機構だけではなく、自分独自のインテリアとして、また、風景写真等の額縁としての使用も可能であることから、遊び心や安らぎ等まで創出可能な多機能収納ケースとなった。  尚、差し込み部に部品名の名札を挿入することもでき便利である。
３・  筐体の面と面が密着されるので、埃等が貯まらず、常に清潔である。
４・  側面を図４，図５のように爪片を縦方向に取付けることによって、引出しの前後動に対し、筐体の動きを阻止する大きな効果を上げている。
５・  個々の篏合が小さいことが、個々の篏合を容易にさせている。
６・  高く左右に連結可能なため、筐体を置くスペースの削減が可能となり、更に、書類や小物の整理整頓が容易になる。
【図面の簡単な説明】
【００２２】
【図１】爪片（１）を有する開口部（２）に嵌込部（３）が篏合する手順を示す斜視図である
【図２】筐体の相対する側面及び上下面に篏合部品を取付けた斜視図である。
【図３】筐体の相対する側面に平板状の篏合部品を横方向に取付けた斜視図である
【図４】筐体の相対する側面に棒状の篏合部品を縦方向に取付けた斜視図である。
【図５】筐体の相対する側面に平板状の篏合部品を縦方向に取付けた斜視図である。
【図６】筐体の側面にある嵌込部品を隠す蓋の斜視図である。
【図７】左図は4面に篏合部品を取付けた筐体を上下左右に6個連結した斜視図である。右図は接触する面にのみ篏合部品を取付けた筐体を4個連結した斜視図である。
【図８】遊び心を表現した筐体の連結例を示す斜視図である。
【図９】遊び心を表現した筐体の連結例を示す斜視図である。
【図１０】引出の前面に写真等の挿入を可能とした斜視図である。
【図１１】特許文献３に記載されている従来の多段収納ケースを示す斜視図である。
【発明を実施するための形態】
【００２３】
実施例に基づき本発明の形態を説明する。
【実施例１】
【００２４】
上下、左右に４個の収納ケースを請求項１記載発明の手段で連結する方法を、実施例1として図２に示す。
【００２５】
下段の筐体（Ｂ）の側面に２か所開口部（１）を設けて平状の爪片（２）を設けた。該爪片に対向する筐体（A）の側面に２カ所、前記平状の爪片（２）が嵌挿されるコ字状の嵌込部（３）を設けた。
【００２６】
更に、筐体（Ａ）と（Ｂ）との上面にコ字状の嵌込部（３）を２か所設けた。
この上面に対向する上段の筐体（Ｃ）と（Ｄ）の下面に開口部（１）をもうけ平状の爪片（２）を設けた。
【００２７】
上段の筐体（Ｃ）と（Ｄ）の側面にも篏合部品を取付けてもよいが、本実施例では図面が複雑になるので省略するが、引出しのない筐体については図２ないし図６の通り図示されている。これらの篏合部品の連結は段落番号（００１９）で説明した手順で、筐体（Ｂ）側面を筐体（Ａ）側面に篏合させ、次の、筐体（Ｃ）と（Ｄ）の下面を筐体（Ａ）と筐体（Ｂ）の上面とを篏合させた。
【実施例２】
【００２８】
次に実施例２を、図３に示す。図３は、筐体（Ａ）の側面外側に２か所Ｌ字状の爪片（２）を設け、該爪片に対向する筐体（Ｂ）の側面に２か所開口部（１）を設け、該開口部から挿入する前記爪片が篏挿するコ字状の嵌込部３を側面内側に設けた。
該各篏合部品は段落番号（００２０）の手順で連結した。
【実施例３】
【００２９】
請求項２記載発明及び請求項３記載発明を、実施例３として、図４、図５に示す。
1・  図４は、筐体（A）の側面に2か所開口部（１）を設け、該開口部に棒状の爪片（２１）を縦方向に設けた。該（A）の側面に対向する筐体（B）の側面の外側に筒状の嵌込部（３１）を設けた。
２・  図５は、筐体（B）の側面に2か所開口部（１）を設け、該開口部に平板状の爪片（２）を縦方向にもうけた。該（B）の側面に対向うる筐体（A）の側面に２か所コ字状の嵌込部（３）を設けた。
該各篏合部品は段落番号（００２０）の手順で連結した。
【００３０】
図６は、図７の左図のように篏合部品を４面に取付けた収納ケースを連結  すると、連結する面にも連結しない面にも連結部品が現れるので、この篏合部品を隠す為に使用する隠す蓋である。筐体の面が嵌込部の場合は、蓋（X）には図６のように爪片（２）が埋め込まれているので、蓋の厚みは幾分厚くなる。
【００３１】
但し、筐体の面に開口部を設けその部位に篏合部品が取付けてある場合は、筐体と同厚の面に篏合部品を取付ければよい。
図7の右図は、収納ケースを上下左右計4個連結した状態を示すが、連結が不要な面には篏合部品を設けていない。
【００３２】
図８，図９は、各筐体の4面に篏合部品を取付け連結した収納ケースを示す。
図９には斜め上下（階段状）に連結した状態を示す。
連結しない面にも篏合部品が図示されているが、隠し蓋を取付けてもよい。
【実施例４】
【００３３】
実施例４として図１０で１個の筐体に２段の引出を図示し、２方式の差込み手段を図示する。
１・  上段の引出しは、前面（４）を二重構造にして写真等を上部から挿入可能なように挿入口（４１）を設けた。但し、側部に挿入口を設けてもよい。前面は透明板を使用した。
２・  下段の引出しは、前面（４）の両端部に差込む溝（４３）を設け、該構造部に透明いたと写真等（Y）を共に差し込む構造である。
更に、引出し前面下部には、引手部（４２）を設け、筐体内部には引出し用のガイドレール（５）が設けてある。
尚、図示しないが、引出し前面を鉄製にし写真等を磁石で添付さす手段を講じてもよい。
図１０では、篏合部品の一部は省略している。
【００３４】
図２から図9の引出しやガイドレール等は、図面が複雑になるので省略する。
【００３５】
以上、本発明について説明したが、本発明は上記実施形態や実施例に限定されるものではない。
【００３６】
また、本発明に係る筐体を構成する材料は、特に限定されず、適宜適切な材料を選択することが出来る。筐体のサイズや厚みも、必要などに応じて設計変更可能である。
【００３７】
その他、本発明は、その主旨を逸脱しない範囲で種々の改良、修正、変更を加えた態様で実施できるものである。
【符号の説明】
【００３８】
１    開口部
２    爪片      
２１  棒状爪片
３    嵌込部    
３１  筒状嵌込部
４    引出し前面      
４１  挿入口    
４２  差し込み溝部
４３  引手部      
５    ガイドレール
Ａ    筐 体      
Ｂ    筐 体    
Ｃ    筐 体    
Ｄ    筐 体
Ｘ    蓋        
Ｙ    透明板に写真等を重ねた物
【図１】
2020083434.tif 000003
【図２】
2020083434.tif 000004
【図３】
2020083434.tif 000005
【図４】
2020083434.tif 000006
【図５】
2020083434.tif 000007
【図６】
2020083434.tif 000008
【図７】
2020083434.tif 000009
【図８】
2020083434.tif 000010
【図９】
2020083434.tif 000011
【図１０】
2020083434.tif 000012
【図１１】
2020083434.tif 000013
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
前面に1以上の引出しを有する筐体を上下または／および左右さらに階段状に、中抜き架橋状に連結する手段として、筐体同士が接触する面の縁部を除く内部に1以上の開口部を設けてその開口部位に爪片または嵌込部を取付け、該開口部と対向する筐体の面に前記爪片を嵌挿する嵌込部を、または、前記嵌込部に嵌挿する爪片を設けて、筐体の内面で嵌合し合うことを特徴とした連結可能な多機能収納ケース。
【請求項２】
請求項１記載の連結可能な多機能収納ケースにおいて、引出しの前面に写真等を挿添可能な手段を設けたことを特徴とした連結可能な多機能収納ケース。
【請求項３】
引出しが無い筐体を上下または／および左右上下または／および左右さらに階段状に、中抜き架橋状に連結する手段として、筐体同士が接触する面の縁部を除く内部に1以上の開口部を設けてその開口部位に爪片または嵌込部を取付け、該開口部と対向する筐体の面に前記爪片を嵌挿する嵌込部を、または、前記嵌込部に嵌挿する爪片を設けて、筐体の内面で嵌合し合うことを特徴とした連結可能な多機能収納ケース。
【請求項４】
請求項１または３記載の連結可能な多機能収納ケースにおいて、爪片と嵌込部とを筐体の側面に縦方向に取付けたことを特徴とした連結可能な多機能収納ケース。
【手続補正２】
【補正対象書類名】明細書
【補正対象項目名】０００１
【補正方法】変更
【補正の内容】
【０００１】
本発明は、収納ケースを上下または／および左右さらに斜め上下（階段状）に、中抜き架橋状に連結し、更に解体可能な多機能収納ケースに関するものである。
【手続補正３】
【補正対象書類名】明細書
【補正対象項目名】００１８
【補正方法】変更
【補正の内容】
【００１８】
上述の様な篏合手段によって、従来は単なる収納ケースとしての機能だけであったが、本願は図８，９に示すような遊び心、インテリア的な機能や、図１０のように引出しの前面に写真等の差し込み（挿入）を可能にし、収納ケース全体を額縁的な機能まで持たせ安らぎ等をも創出可能な多機能収納ケースにした。尚、本願請求項２でいう挿添とは、写真、風景絵、名札等を挿入（差し込む）または添付することを「挿添」と定義する。
【手続補正４】
【補正対象書類名】明細書
【補正対象項目名】００１９
【補正方法】変更
【補正の内容】
【００１９】
なお、本願は請求項３に記載の如く引出しの無い筐体を、上述のような篏合手段で連結すれば、本発明の技術範囲である。
【手続補正５】
【補正対象書類名】明細書
【補正対象項目名】００２９
【補正方法】変更
【補正の内容】
【００２９】
請求項４記載発明記載発明を、実施例３として、図４、図５に示す。
1・  図４は、筐体（A）の側面に2か所開口部（１）を設け、該開口部に棒状の爪片（２１）を縦方向に設けた。該（A）の側面に対向する筐体（B）の側面の外側に筒状の嵌込部（３１）を設けた。
２・  図５は、筐体（B）の側面に2か所開口部（１）を設け、該開口部に平板状の爪片（２）を縦方向にもうけた。該（B）の側面に対向うる筐体（A）の側面に２か所コ字状の嵌込部（３）を設けた。
該各篏合部品は段落番号（００２０）の手順で連結した。
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
物を収納する筐体を上下または／および左右さらに中抜き階段状または中抜き架橋状にも連結可能な手段として、筐体同士が接触する面の縁部を除く内部に1以上の開口部を設けてその開口部の一辺より筐体同士が接触する面に平行にのびる爪片を取付け、該開口部と対向する筐体の面に前記爪片を嵌挿する嵌込部を設けて、前記爪片と前記嵌込部が筐体の内面で嵌合し合うことを特徴とした連結可能な多機能収納ケース。
【請求項２】
物を収納する筐体を上下または／および左右さらに中抜き階段状または中抜き架橋状にも連結可能な手段として、筐体同士が接触する面の縁部を除く内部に1以上の開口部を設けてその開口部の一辺より筐体同士が接触する面に平行にのびる嵌込部を取付け、該開口部と対向する筐体の面に前記嵌込部に嵌挿する爪片を設けて、前記爪片と前記嵌込部が筐体の内面で嵌合し合うことを特徴とした連結可能な多機能収納ケース。
【手続補正２】
【補正対象書類名】明細書
【補正対象項目名】０００１
【補正方法】変更
【補正の内容】
【０００１】
本発明は、収納ケースを上下または／および左右さらに中抜き階段状または中抜き架橋状に連結し、更に、解体も可能な多機能収納ケースに関するものである。
【手続補正３】
【補正対象書類名】明細書
【補正対象項目名】００１０
【補正方法】変更
【補正の内容】
【００１０】
本発明は図示のように、前方に１以上の引出しを挿入する筐体とか、引出しが無く単に物を収納する筐体を崩れることなく上下または／および左右さらに中抜き階段状または中抜き架橋状にも連結できる手段として、筐体同士が接触する面の縁部を除く内部に1以上の開口部を設けてその開口部の一辺より筐体同士が接触する面に、
（請求項１記載のように）
平行にのびる爪片を取付け、該開口部と対向する筐体の面に前記爪片を嵌挿する嵌込部を設けるか、
（または請求項２記載のように）、
平行にのびる嵌込部を取付け、該開口部と対向する筐体の面に前記嵌
込部に嵌挿する爪片を設けるかして、
前記爪片と前記嵌込部が筐体の内面で嵌合する手段で連結する多機能収納ケースである。
更に、連結されたとき、連結面に外見上隙間が生ぜず、その結果、連結面に埃等が貯まらないようにするものである。
【手続補正４】
【補正対象書類名】明細書
【補正対象項目名】００１１
【補正方法】変更
【補正の内容】
【００１１】
次に、篏合し易く、更に、引出の開け閉め時に簡単に各筐体が外れず崩れない構造にすること、しかも、図８，９に示すような中抜き架橋状や中抜き階段状に連結しても上部の筐体が崩れない連結手段であることを要件とした。
【手続補正５】
【補正対象書類名】明細書
【補正対象項目名】００１２
【補正方法】変更
【補正の内容】
【００１２】
そこで、一般的に使用されている篏合手段は特許文献１に図示する爪片（１５）と篏込部（１６）が共に筐体の外面に設けられているのに対し、本願は篏合される面と面を完全に密着（接触）させるために、図示のように面に開口部を設け、該開口部位に爪片または篏込部を取付け、一方、この筐体と対向する面に前記爪片を篏挿する篏込部を、または前記篏込部に篏挿する爪片を設けて、筐体の内面で爪片と嵌込部を強固に密着させているところが特許文献1や特許文献３とは相違する
【手続補正６】
【補正対象書類名】明細書
【補正対象項目名】００１５
【補正方法】変更
【補正の内容】
【００１５】
更に、本願に篏合手段の爪片及び嵌込部の形状は図4に示すように、爪片を棒状にし、嵌込部は該棒状が挿入されるように筒状にした。該篏合部品を図4のように側面に縦方向に取付け上下させて篏合し合うことも提案する。  但し、この棒状の篏合部品は側面だけに取付けることを限定するものではなく必要に応じて上下面に適宜に設けてもよい
【手続補正７】
【補正対象書類名】明細書
【補正対象項目名】００１８
【補正方法】変更
【補正の内容】
【００１８】
上述の様な篏合手段によって、従来は単なる収納ケースとしての機能だけであったが、本願は図８，９に示すような遊び心、インテリア的な機能や、図１０のように引出しの前面に写真等の差し込み（挿入）を可能にし、収納ケース全体を額縁的な機能まで持たせ安らぎ等をも創出可能な多機能収納ケースにした。
【手続補正８】
【補正対象書類名】明細書
【補正対象項目名】００１９
【補正方法】変更
【補正の内容】
【００１９】
なお、本願は引出しの有無に関係なく、筐体を上述のような篏合手段で連結すれば、本発明の技術範囲である。
【手続補正９】
【補正対象書類名】明細書
【補正対象項目名】００２０
【補正方法】変更
【補正の内容】
【００２０】
本願は上記の条件及び手段で収納ケース等を連結するものであるが、この連結手順を図１に示す。
１・  上段図に示すA面（筐体の一面とする）に開口部（１）を設け、この開口部に平板状の爪片（２）を設けてある。この面に対向するB面に前記爪片（２）が篏挿する嵌込部（３）が設けてある。
２・  中段図のようにAの開口部（１）にBに設けた嵌込部（３）を挿入する。
３・  下段図のようにA１面に設けた爪片（２）を嵌込部（３）側に押し、爪片（２）を嵌込部（３）に篏挿すると、爪片と嵌込部とが篏合され、更に、A面とB面とが密着され結合される。
本願では、爪片を篏込部に挿入することを篏挿といい、篏挿して結合されることを篏合と表現する
【手続補正１０】
【補正対象書類名】明細書
【補正対象項目名】００２５
【補正方法】変更
【補正の内容】
【００２５】
下段の筐体（Ｂ）の側面に２か所開口部（１）を設けて、その開口部の一辺より筐体同士が接触する面に平行にのびる平状の爪片（２）を取付け、該開口部に対向する筐体（Ａ）の面に２か所、前記平状の爪片（２）が嵌挿されるコ字状の嵌込部（３）を設けた。
【手続補正１１】
【補正対象書類名】明細書
【補正対象項目名】００２６
【補正方法】変更
【補正の内容】
【００２６】
更に、筐体（Ａ）と（Ｂ）との上面にコ字状の嵌込部（３）を２か所設けた。
この上面に対向する上段の筐体（Ｃ）と（Ｄ）の下面には開口部（１）には接触する面に平行にのびる平状の爪片（２）を設けた。
【手続補正１２】
【補正対象書類名】明細書
【補正対象項目名】００２８
【補正方法】変更
【補正の内容】
【００２８】
次に請求項２の実施例を実施例２として図３に示す。筐体（B）の側面に２か所開口部（１）を設け、該開口部の一辺より筐体同士が接触する面に平行にのびるコ字状の嵌込部（３）を側面内側に設け、該開口部と対向する筐体（A）の面に前記嵌込部に嵌挿するL字状の爪片（２）を設けた。
該各篏合部品は段落番号（００２０）の手順で連結した。
【手続補正１３】
【補正対象書類名】明細書
【補正対象項目名】００２９
【補正方法】変更
【補正の内容】
【００２９】
請求項１記載発明で、爪片と篏込部を縦方向に取付けた実施例を、実施例３として、図４、図５に示す。
1・  図４は、筐体（A）の側面に2か所開口部（１）を設け、該開口部に、面に平行にのびる棒状の爪片（２１）を縦方向に設けた。該（A）の側面に対向する筐体（B）の側面の外側に筒状の嵌込部（３１）を設けた。
２・  図５は、筐体（B）の側面に2か所開口部（１）を設け、該開口部に、面に平行にのびる平板状の爪片（２）を縦方向にもうけた。該（B）の側面に対向うる筐体（A）の側面に２か所コ字状の嵌込部（３）を設けた。
該各篏合部品は段落番号（００２０）の手順で連結した
【手続補正１４】
【補正対象書類名】明細書
【補正対象項目名】００３２
【補正方法】変更
【補正の内容】
【００３２】
図８，図９は、各筐体の4面に篏合部品を取付け連結した収納ケースを示す。
図８は中抜き架橋状に連結した状態を示す。
図９は中抜き階段状に連結した状態を示す。
連結しない面にも篏合部品が図示されているが、隠し蓋を取付けて  もよい。
【手続補正１５】
【補正対象書類名】明細書
【補正対象項目名】００３６
【補正方法】変更
【補正の内容】
【００３６】
また、本発明に係る筐体を構成する材料は特に限定せず適宜適切な材料を選択すればよい。筐体のサイズや厚みも、必要に応じて設計変更可能である。